(57)【要約】【課題】ユーザの感覚に沿ったアンテナピクト表示をする。【解決手段】通信端末装置は、自端末装置の電波環境の状態を示す電波状態情報を取得する電波状態取得部と、自端末装置の通信の混雑状態を示す混雑状態情報を取得する混雑状態取得部と、前記電波状態取得部が取得する前記電波状態情報と、前記混雑状態取得部が取得する前記混雑状態情報とに基づいて、自端末装置の前記電波環境に関する通信品質である第１通信品質及び自端末装置の前記混雑状態に関する通信品質である第２通信品質を判定する通信品質判定部と、前記通信品質判定部が判定する前記第１通信品質と、前記第２通信品質とに基づいて、自端末装置が備える表示部の表示を制御する表示制御部と、を備える。【選択図】図１
2018067798.tif 000002
【特許請求の範囲】
【請求項１】
自端末装置の電波環境の状態を示す電波状態情報を取得する電波状態取得部と、
自端末装置の通信の混雑状態を示す混雑状態情報を取得する混雑状態取得部と、
前記電波状態取得部が取得する前記電波状態情報に基づいて、自端末装置の通信品質を判定する電波状態判定部と、
前記混雑状態取得部が取得する前記混雑状態情報に基づいて、自端末装置の通信品質を判定する混雑状態判定部と、
前記電波状態判定部が判定する自端末装置の通信品質である第１通信品質と、前記混雑状態判定部が判定する自端末装置の通信品質である第２通信品質とに基づいて、自端末装置が備える表示部の表示を制御する表示制御部と、
を備える通信端末装置。
【請求項２】
自端末装置の電波環境の状態を示す電波状態情報を取得する電波状態取得部と、
自端末装置の通信の混雑状態を示す混雑状態情報を取得する混雑状態取得部と、
前記電波状態取得部が取得する前記電波状態情報と、前記混雑状態取得部が取得する前記混雑状態情報とに基づいて、自端末装置の前記電波環境に関する通信品質である第１通信品質及び自端末装置の前記混雑状態に関する通信品質である第２通信品質を判定する通信品質判定部と、
前記通信品質判定部が判定する前記第１通信品質と、前記第２通信品質とに基づいて、自端末装置が備える表示部の表示を制御する表示制御部と、
を備える通信端末装置。
【請求項３】
前記表示制御部は、
前記第１通信品質と、前記第２通信品質とが乖離している場合、前記第１通信品質と、前記第２通信品質とのうち、少なくとも一方に基づいて、前記表示部が表示する表示情報を生成し、前記表示部に表示する
請求項１又は請求項２に記載の通信端末装置。
【請求項４】
前記表示制御部は、
前記第１通信品質を示す値と、前記第２通信品質を示す値とを乗じた値に基づいて、前記表示部の表示を制御する
請求項１から請求項３のいずれか一項に記載の通信端末装置。
【請求項５】
前記表示制御部は、
優先的に表示する情報を示す優先表示情報に基づいて、前記表示部の表示を制御する
請求項１から請求項４のいずれか一項に記載の通信端末装置。
【請求項６】
通信端末装置の通信の混雑状態を示す混雑状態情報とを記憶する記憶部と、
前記通信端末装置に混雑状態情報を送信する混雑状態送信部と、
を備える情報配信装置。
【請求項７】
コンピュータに、
電波環境の状態を示す電波状態情報を取得する電波状態取得ステップと、
通信に使用されるネットワークの混雑の程度を示す混雑状態情報を取得する混雑状態取得ステップと、
前記電波状態取得ステップが取得する前記電波状態情報に基づいて、通信品質を判定する電波状態判定ステップと、
前記混雑状態取得ステップが取得する前記混雑状態情報に基づいて、通信品質を判定する混雑状態判定ステップと、
前記電波状態判定ステップが判定する通信品質である第１通信品質と、前記混雑状態判定ステップが判定する通信品質である第２通信品質とに基づいて、表示ステップの表示を制御する表示制御ステップと、
を実行させるための通信端末プログラム。
【請求項８】
コンピュータに、
通信端末装置に前記通信端末装置の通信の混雑状態を示す混雑状態情報を送信する混雑状態送信ステップ
を実行させるための情報配信プログラム。
【発明の詳細な説明】
【技術分野】
【０００１】
本発明は、通信端末装置、情報配信装置、通信端末プログラム及び情報配信プログラムに関する。
【背景技術】
【０００２】
従来、通信端末は、待受中、通信中に関わらず受信電波環境を測定し、その結果に応じてアンテナピクト表示を変化させている。このアンテナピクト表示は、ユーザにその時点、その場所での通信品質の目安を示すものとなっている。アンテナピクト表示の基準となる受信電波環境としては、ＲＳＳＩ（受信電界強度）や、パイロットＥｃ／Ｉｏ（パイロット信号エネルギーと総エネルギーの比）、Ｃ／Ｉ（搬送波と干渉波のエネルギー比）等が利用される（例えば、特許文献１）。
【先行技術文献】
【特許文献】
【０００３】
【特許文献１】特開２００１−１７７８７０号公報
【発明の概要】
【発明が解決しようとする課題】
【０００４】
ここで、通信端末の通信品質は、受信電波環境の他、移動体通信網の通信の状態に影響される場合がある。具体的には、移動体通信網を使用する通信端末の数及びデータ量が多い場合には、受信電波環境が良好であっても当該移動体通信網を使用する通信端末の通信品質が低下する場合がある。この場合、通信端末を使用するユーザは、アンテナピクト表示と通信品質とに乖離が生じ、違和感を覚える場合がある。
本発明は、上記問題に鑑みて為されたものであり、ユーザの感覚に沿ったアンテナピクト表示をすることを目的とする。
【課題を解決するための手段】
【０００５】
（１）本発明の一態様は、自端末装置の電波環境の状態を示す電波状態情報を取得する電波状態取得部と、自端末装置の通信の混雑状態を示す混雑状態情報を取得する混雑状態取得部と、前記電波状態取得部が取得する前記電波状態情報に基づいて、自端末装置の通信品質を判定する電波状態判定部と、前記混雑状態取得部が取得する前記混雑状態情報に基づいて、自端末装置の通信品質を判定する混雑状態判定部と、前記電波状態判定部が判定する自端末装置の通信品質である第１通信品質と、前記混雑状態判定部が判定する自端末装置の通信品質である第２通信品質とに基づいて、自端末装置が備える表示部の表示を制御する表示制御部と、を備える通信端末装置である。
【０００６】
（２）本発明の一態様は、自端末装置の電波環境の状態を示す電波状態情報を取得する電波状態取得部と、自端末装置の通信の混雑状態を示す混雑状態情報を取得する混雑状態取得部と、前記電波状態取得部が取得する前記電波状態情報と、前記混雑状態取得部が取得する前記混雑状態情報とに基づいて、自端末装置の前記電波環境に関する通信品質である第１通信品質及び自端末装置の前記混雑状態に関する通信品質である第２通信品質を判定する通信品質判定部と、前記通信品質判定部が判定する前記第１通信品質と、前記第２通信品質とに基づいて、自端末装置が備える表示部の表示を制御する表示制御部と、を備える通信端末装置である。
【０００７】
（３）本発明の一態様は、上記（１）又は（２）に記載の通信端末装置において、前記表示制御部は、前記第１通信品質と、前記第２通信品質とが乖離している場合、前記第１通信品質と、前記第２通信品質とのうち、少なくとも一方に基づいて、前記表示部が表示する表示情報を生成し、前記表示部に表示する。
【０００８】
（４）本発明の一態様は、上記（１）から（３）のいずれかに記載の通信端末装置において、前記表示制御部は、前記第１通信品質を示す値と、前記第２通信品質を示す値とを乗じた値に基づいて、前記表示部の表示を制御する。
【０００９】
（５）本発明の一態様は、上記（１）から（４）のいずれかに記載の通信端末装置において、前記表示制御部は、優先的に表示する情報を示す優先表示情報に基づいて、前記表示部の表示を制御する。
【００１０】
（６）本発明の一態様は、通信端末装置の通信の混雑状態を示す混雑状態情報を記憶する記憶部と、前記通信端末装置に混雑状態情報を送信する混雑状態送信部と、を備える情報配信装置である。
【００１１】
（７）本発明の一態様は、コンピュータに、電波環境の状態を示す電波状態情報を取得する電波状態取得ステップと、通信に使用されるネットワークの混雑の程度を示す混雑状態情報を取得する混雑状態取得ステップと、前記電波状態取得ステップが取得する前記電波状態情報に基づいて、通信品質を判定する電波状態判定ステップと、前記混雑状態取得ステップが取得する前記混雑状態情報に基づいて、通信品質を判定する混雑状態判定ステップと、前記電波状態判定ステップが判定する通信品質である第１通信品質と、前記混雑状態判定ステップが判定する通信品質である第２通信品質とに基づいて、表示ステップの表示を制御する表示制御ステップと、を実行させるための通信端末プログラムである。
【００１２】
（８）本発明の一態様は、コンピュータに、通信端末装置に前記通信端末装置の通信の混雑状態を示す混雑状態情報を送信する混雑状態送信ステップを実行させるための情報配信プログラムである。
【発明の効果】
【００１３】
本発明によれば、ユーザの感覚に沿ったアンテナピクト表示をすることができる。
【図面の簡単な説明】
【００１４】
【図１】本実施形態に係る通信端末装置の概要を示す図である。
【図２】本実施形態に係る情報配信装置及び通信端末装置の構成の一例を示す図である。
【図３】本実施形態に係る画像の一例を示す図である。
【図４】本実施形態に係る通信端末装置及び情報配信装置の動作の一例を示す流れ図である。
【図５】本実施形態に係る第１通信品質と、第２通信品質と、通信速度との対応の一例を示す表である。
【図６】本実施形態に係る画像の他の一例を示す図である。
【発明を実施するための形態】
【００１５】
［実施形態］
以下、図を参照して本発明の実施形態について説明する。
図１は、本実施形態に係る通信端末装置１０の概要を示す図である。
通信端末装置１０とは、ユーザＵの操作に応じて、無線通信ネットワークである移動体通信網を介して通信を行う装置である。通信端末装置１０は、例えば、携帯電話、スマートフォン及びタブレット型のコンピュータ（タブレットＰＣ）等の携帯型のパーソナルコンピュータなどである。移動体通信網とは、例えば、ＬＴＥ（Ｌｏｎｇ  Ｔｅｒｍ  Ｅｖｏｌｕｔｉｏｎ）方式等の通信方式の携帯電話ネットワークである。なお、移動体通信網は、ＬＴＥ方式にしたがって構築された通信網に限られず、ＬＴＥ方式にしたがって構築された通信網以外の３Ｇ方式等の通信網であってもよい。移動体通信網は、複数の無線基地局（不図示）によって形成される。無線基地局は、通信端末装置１０が移動体通信網のエリアＡＲ内に在圏する場合に、通信端末装置１０と、無線基地局との間でＬＴＥ方式に従った無線通信を行うことができる。これにより、ユーザＵは、通信端末装置１０を使用し、移動体通信網を介してデータ通信や通話を行う。
図１に示す通り、この一例では、エリアＡＲに複数の通信端末（以下、通信端末ＣＥ）と、通信端末装置１０とが在圏する。具体的には、エリアＡＲには、通信端末ＣＥ１、通信端末ＣＥ２、…、通信端末ＣＥｎと、通信端末装置１０とが在圏する。ｎは、３以上の整数である。
【００１６】
ここで、エリアＡＲに在圏し、移動体通信網を使用して通信を行う通信端末ＣＥの数が多い場合又は移動体通信網を使用した通信のデータ量が多い場合、通信端末装置１０の通信品質が低下する場合がある。また、通信端末装置１０が無線基地局の発信する電波を受信しにくい場合、通信端末装置１０の通信品質が低下する場合がある。したがって、通信端末装置１０の通信品質は、エリアＡＲに在圏する通信端末ＣＥの数及び移動体通信網を使用して行われる通信のデータ量（以下、混雑状態）と、通信端末装置１０の電波環境の状態（以下、電波状態）に影響される。具体的には、通信端末装置１０は、エリアＡＲに在圏する通信端末ＣＥの数が多い場合や移動体通信網を使用して行われる通信のデータ量が多い場合には、混雑状態が不良であって、エリアＡＲに在圏する通信端末ＣＥの数が少ない場合や移動体通信網を使用して行われる通信のデータ量が少ない場合には、混雑状態が良好である。また、通信端末装置１０は、無線基地局の発信する電波を受信しにくい場合には、電波状態が不良であって、無線基地局の発信する電波を受信しやすい場合には電波状態が良好である。
通信端末装置１０は、混雑状態と、電波状態とに基づいて、アンテナピクト表示を示す画像（以下、画像Ｐ）の表示を制御する装置である。
ここで、アンテナピクト表示とは、通信端末装置１０の通信品質を示す表示である。図１に示す通り、この一例では、アンテナピクト表示は、長さの異なる５本の縦線によって通信端末装置１０の通信品質を示す。具体的には、画像Ｐは、表示する縦線の数が多いほど通信端末装置１０の通信品質が良いことを示し、縦線の数が少ないほど通信端末装置１０の通信品質が悪いことを示す。なお、アンテナピクト表示は、５本より少ない数の縦線によって示されてもよく、５本より多い縦線によって示されてもよい。また、アンテナピクト表示は、通信品質が最も良好である場合の値を１００とし、通信品質が最も不良である場合の値を０として、０から１００までの値によって示されてもよい。
【００１７】
＜情報配信装置と情報配信装置との接続について＞
以下、図を参照して通信端末装置１０と、情報配信装置２０との構成について説明する。
図２は、本実施形態に係る通信端末装置１０及び情報配信装置２０の構成の一例を示す図である。
通信端末装置１０と、情報配信装置２０とは、移動体通信網を介して情報の送受信が可能に接続される。
【００１８】
＜情報配信装置について＞
上述したように、情報配信装置２０は、移動体通信網に接続される装置である。図２に示す通り、情報配信装置２０は、制御部２００と、記憶部６００とを備える。
制御部２００は、ＣＰＵ（Ｃｅｎｔｒａｌ  Ｐｒｏｃｅｓｓｉｎｇ  Ｕｎｉｔ）を備えており、混雑状態情報生成部２１０と、混雑状態送信部２２０とをその機能部として備える。
混雑状態情報生成部２１０は、混雑状態情報ＶＴを生成する。混雑状態情報ＶＴとは、移動体通信網の混雑状態を示す情報である。混雑状態情報生成部２１０は、例えば、あるエリアＡＲに在圏する通信端末ＣＥの接続数等の情報に基づいて、移動体通信網の混雑状態情報ＶＴをする。具体的には、情報配信装置２０は、エリアＡＲ毎の現在の通信端末ＣＥの接続数等の情報に基づいて、移動体通信網を使用した通信（以下、単に通信と記載する）のスループット、移動体通信網に接続可能な通信端末装置１０及び通信端末ＣＥの接続可能数、当該接続可能数に占める移動体通信網に現在接続されている通信端末装置１０及び通信端末ＣＥの数の割合、通信の遅延、及び通信端末装置１０や通信端末ＣＥに割り当てられたスケジュール情報等を含む混雑状態情報ＶＴを生成する。混雑状態情報生成部２１０は、常時又は所定の時間毎に混雑状態情報ＶＴを生成し、記憶部６００に記憶する。
混雑状態送信部２２０は、記憶部６００に記憶される混雑状態情報ＶＴのうち、通信端末装置１０が存在する位置（エリアＡＲ）の混雑状態情報ＶＴを通信端末装置１０に常時又は所定の時間毎に送信する。
【００１９】
なお、混雑状態情報ＶＴは、通信のスループット、通信の受信速度、通信の送信速度、移動体通信網に接続可能な通信端末装置１０及び通信端末ＣＥの接続可能数、当該接続可能数に占める移動体通信網に現在接続されている通信端末装置１０及び通信端末ＣＥの数の割合、通信の遅延、及び通信端末装置１０や通信端末ＣＥに割り当てられたスケジュール情報のうち、少なくとも１つを示す情報であってもよい。
また、上述では、混雑状態情報ＶＴが移動体通信網の混雑状態を示す情報である場合について説明したが、これに限られない。混雑状態情報ＶＴは、通信端末装置１０が接続される無線ＬＡＮ（Ｌｏｃａｌ  Ａｒｅａ  Ｎｅｔｗｏｒｋ）の混雑状態を示す情報であってもよい。また、混雑状態情報ＶＴは、通信端末装置１０が他の通信端末ＣＥとテザリング（ｔｅｔｈｅｒｉｎｇ）によって接続され、通信する際の混雑状態を示す情報であってもよい。
【００２０】
なお、情報配信装置２０が通信端末装置１０に混雑状態情報ＶＴを常時又は所定の時間毎に送信する構成に代えて、通信端末装置１０が情報配信装置２０に混雑状態情報ＶＴの送信を要求する構成であってもよい。通信端末装置１０が情報配信装置２０に混雑状態情報ＶＴの送信を要求するタイミングは、例えば、通信端末装置１０が備える機能（アプリケーション）を起動した際、通信端末装置１０が移動体通信網を介して通信を開始した際、通信端末装置１０の待機動作（省電力）モードが解除された際及び通信端末装置１０のセキュリティが解除された際等である。
また、混雑状態情報生成部２１０は、エリアＡＲ毎の現在の通信端末ＣＥの接続数等の情報に基づいて、混雑状態情報ＶＴを生成する構成に代えて、エリアＡＲ毎の過去の通信端末ＣＥの接続数等の情報に基づいて混雑状態情報ＶＴを生成し、通信端末装置１０に送信する構成であってもよい。
また、情報配信装置２０は、混雑状態情報ＶＴを生成する構成に代えて、混雑状態情報ＶＴを取得する構成であってもよい。この場合、情報配信装置２０は、移動体通信網に接続され、上述した構成によって混雑状態情報ＶＴを生成する装置から混雑状態情報ＶＴを取得する。
【００２１】
＜通信端末装置の構成について＞
図２に示す通り、通信端末装置１０は、制御部１００と、表示部ＤＰとを備える。
表示部ＤＰとは、ディスプレイパネル等の表示装置である。表示部ＤＰは、制御部１００の制御に基づいて、画像Ｐを表示する。
制御部１００は、ＣＰＵを備えており、電波状態取得部１１０と、混雑状態取得部１２０と、通信品質判定部１３０と、表示制御部１４０とをその機能部として備える。通信品質判定部１３０は、電波状態判定部１３１と、混雑状態判定部１３２とを備える。
電波状態取得部１１０は、通信端末装置１０の電波状態情報ＲＳを取得する。電波状態情報ＲＳとは、通信端末装置１０の電波状態を示す情報である。電波状態取得部１１０は、通信端末装置１０が既知の方法によって算出した電波状態情報ＲＳを取得する。既知の方法によって算出した電波状態情報ＲＳとは、通信端末装置１０が備えるアンテナモジュールが無線基地局の発信する電波を受信する強度に基づいて算出されたＲＳＳＩ（受信電界強度）や、パイロットＥｃ／Ｉｏ（パイロット信号エネルギーと総エネルギーの比）、Ｃ／Ｉ（搬送波と干渉波のエネルギー比）等を示す情報である。電波状態取得部１１０は、取得した電波状態情報ＲＳを通信品質判定部１３０に供給する。
【００２２】
混雑状態取得部１２０は、情報配信装置２０から混雑状態情報ＶＴを取得する。混雑状態取得部１２０は、取得した混雑状態情報ＶＴを通信品質判定部１３０に供給する。
【００２３】
なお、通信端末装置１０は、情報配信装置２０から混雑状態情報ＶＴを取得する構成に代えて、混雑状態情報ＶＴを生成する構成を備えていてもよい。この場合、通信端末装置１０は、移動体通信網の混雑状態を示す情報のうち、当該通信端末装置１０が生成可能な情報を混雑状態情報ＶＴとして生成する。具体的には、通信端末装置１０は、通信のスループット、通信の受信速度、通信の送信速度等を混雑状態情報ＶＴとして生成する。
また、通信端末装置１０が混雑状態情報ＶＴを生成する構成を備える場合、混雑状態取得部１２０は、生成した混雑状態情報ＶＴを通信品質判定部１３０に供給する構成であってもよく、生成した混雑状態情報ＶＴ以外の混雑状態に関する情報を情報配信装置２０から取得し、取得した情報及び生成した混雑状態情報ＶＴを通信品質判定部１３０に供給する構成であってもよい。生成した混雑状態情報ＶＴ以外の混雑状態に関する情報とは、例えば、移動体通信網に接続可能な通信端末装置１０及び通信端末ＣＥの接続可能数、当該接続可能数に占める移動体通信網に現在接続されている通信端末装置１０及び通信端末ＣＥの数の割合、通信の遅延、及び通信端末装置１０や通信端末ＣＥに割り当てられたスケジュール情報等である。
【００２４】
通信品質判定部１３０が備える電波状態判定部１３１は、取得した電波状態情報ＲＳに基づいて、通信端末装置１０の通信品質を判定する。具体的には、電波状態判定部１３１は、取得した電波状態情報ＲＳに基づいて、通信端末装置１０の電波状態を判定する。この一例では、電波状態情報ＲＳの判定結果が取り得る値の最大値と、アンテナピクト表示の縦線の総数とが一致する。したがって、電波状態判定部１３１は、電波状態が最も良好である場合の電波状態情報ＲＳの値を「５」及び電波状態が最も不良である場合の電波状態情報ＲＳの値を「１」として、電波状態を判定する。以降の説明において、電波状態判定部１３１が判定した電波状態を第１通信品質Ｑ１と記載する。電波状態判定部１３１は、第１通信品質Ｑ１を示す情報を表示制御部１４０に供給する。
【００２５】
通信品質判定部１３０が備える混雑状態判定部１３２は、取得した混雑状態情報ＶＴに基づいて、通信端末装置１０の通信品質を判定する。具体的には、混雑状態判定部１３２は、取得した混雑状態情報ＶＴに基づいて、通信端末装置１０の混雑状態を判定する。この一例では、混雑状態情報ＶＴの判定結果が取り得る値の最大値と、アンテナピクト表示の縦線の総数とが一致する。したがって、混雑状態判定部１３２は、混雑状態が最も良好である場合の混雑状態情報ＶＴの値を「５」及び電波状態が最も不良である場合の混雑状態情報ＶＴの値を「１」として、混雑状態を判定する。以降の説明において、混雑状態判定部１３２が判定した混雑状態を第２通信品質Ｑ２と記載する。電波状態判定部１３１は、第２通信品質Ｑ２を示す情報を表示制御部１４０に供給する。
【００２６】
表示制御部１４０は、通信品質判定部１３０から第１通信品質Ｑ１を示す情報と、第２通信品質Ｑ２を示す情報とを取得する。具体的には、表示制御部１４０は、電波状態判定部１３１から第１通信品質Ｑ１を示す情報を取得し、混雑状態判定部１３２から第２通信品質Ｑ２を示す情報を取得する。
表示制御部１４０は、第１通信品質Ｑ１と、第２通信品質Ｑ２とに基づいて、表示部ＤＰの表示を制御する。以下、表示制御部１４０の制御の詳細について説明する。
【００２７】
＜表示制御部：第１通信品質と第２通信品質とが乖離しない場合＞
表示制御部１４０は、第１通信品質Ｑ１の値と、第２通信品質Ｑ２の値とが一致又は乖離しない場合、当該一致又は乖離しない値に基づいて、画像Ｐを生成し、表示部ＤＰに当該画像Ｐを表示させる制御を行う。また、表示制御部１４０は、第１通信品質Ｑ１の値と、第２通信品質Ｑ２の値とが所定の値（以下、閾値ＴＨ）より乖離しない場合、第１通信品質Ｑ１の値と、第２通信品質Ｑ２の値とのうち、大きい値をアンテナピクト表示の縦線の数とする画像Ｐを表示部ＤＰに表示させる制御を行う。以降の説明において、閾値ＴＨが、「２」である場合について説明する。例えば、第１通信品質Ｑ１が「５」であって、第２通信品質Ｑ２が「４」である場合、第１通信品質Ｑ１の値と、第２通信品質Ｑ２の値とは、「１」だけ乖離する。したがって、第１通信品質Ｑ１の値と、第２通信品質Ｑ２の値とは、閾値ＴＨより乖離しない。この場合、表示制御部１４０は、アンテナピクト表示が５本の縦線である画像Ｐを表示部ＤＰに表示させる制御を行う。この場合、通信端末装置１０は、通信品質が良好である場合を基準とした画像ＰをユーザＵに提示することができる。
【００２８】
なお、表示制御部１４０は、第１通信品質Ｑ１の値と、第２通信品質Ｑ２の値とが閾値ＴＨより乖離しない場合、第１通信品質Ｑ１の値と、第２通信品質Ｑ２の値とのうち、小さい値をアンテナピクト表示の縦線の数とする画像Ｐを表示部ＤＰに表示させる制御を行う構成であってもよい。この場合、通信端末装置１０は、通信品質が不良である場合を基準とした画像ＰをユーザＵに提示することができる。
また、表示制御部１４０は、第２通信品質Ｑ２（混雑状態）の値をアンテナピクト表示の縦線の数とする画像Ｐを表示部ＤＰに表示させる制御を行ってもよい。この場合、通信端末装置１０は、混雑状態を通信品質とする画像ＰをユーザＵに提示することができる。
【００２９】
＜表示制御部：第１通信品質と第２通信品質とが乖離する場合  その１＞
表示制御部１４０は、第１通信品質Ｑ１の値と、第２通信品質Ｑ２の値とが閾値ＴＨより乖離する場合、第１通信品質Ｑ１と、第２通信品質Ｑ２とのうち、少なくとも一方の値に基づいて画像Ｐを生成し、表示部ＤＰに当該画像Ｐを表示させる制御を行う。また、表示制御部１４０は、第１通信品質Ｑ１の値と、第２通信品質Ｑ２の値とが閾値ＴＨより乖離する場合、第１通信品質Ｑ１の値と、第２通信品質Ｑ２の値とのうち、大きい値をアンテナピクト表示の縦線の数とする画像Ｐを表示部ＤＰに表示させる制御を行う。例えば、第１通信品質Ｑ１が「１」であって、第２通信品質Ｑ２が「４」である場合、第１通信品質Ｑ１の値と、第２通信品質Ｑ２の値とは、「３」だけ乖離する。したがって、第１通信品質Ｑ１の値と、第２通信品質Ｑ２の値とは、閾値ＴＨより乖離する。この場合、表示制御部１４０は、アンテナピクト表示が４本の縦線である画像Ｐを表示部ＤＰに表示させる制御を行う。この場合、通信端末装置１０は、通信品質が良好である場合を基準とした画像ＰをユーザＵに提示することができる。
【００３０】
なお、表示制御部１４０は、第１通信品質Ｑ１の値と、第２通信品質Ｑ２の値とが閾値ＴＨより乖離する場合、第１通信品質Ｑ１の値と、第２通信品質Ｑ２の値とのうち、小さい値をアンテナピクト表示の縦線の数とする画像Ｐを表示部ＤＰに表示させる制御を行う構成であってもよい。この場合、通信端末装置１０は、通信品質が不良である場合を基準とした画像ＰをユーザＵに提示することができる。
また、表示制御部１４０は、第２通信品質Ｑ２（混雑状態）の値をアンテナピクト表示の縦線の数とする画像Ｐを表示部ＤＰに表示させる制御を行ってもよい。この場合、通信端末装置１０は、混雑状態を通信品質とする画像ＰをユーザＵに提示することができる。
また、表示制御部１４０は、第１通信品質Ｑ１の値と、第２通信品質Ｑ２の値とが閾値ＴＨより乖離する場合、第１通信品質Ｑ１の値及び第２通信品質Ｑ２の値を示す画像Ｐを表示部ＤＰに表示させる制御を行う構成であってもよい。この場合、通信端末装置１０は、通信品質が不良となる要因（電波状態又は混雑状態）を確認することができる。
また、通信端末装置１０は、情報配信装置２０から現在の混雑状態情報ＶＴと、過去の混雑状態情報ＶＴとを取得する構成であってもよい。この場合、混雑状態取得部１２０は、現在の混雑状態情報ＶＴに基づいて混雑状態を判定し、現在の第２通信品質Ｑ２を表示制御部１４０に供給しつつ、過去の混雑状態情報ＶＴに基づいて混雑状態を判定し、過去の第２通信品質Ｑ２を表示制御部１４０に供給する。表示制御部１４０は、現在の第２通信品質Ｑ２と、過去の第２通信品質Ｑ２とを示す画像Ｐを表示部ＤＰに表示させる制御を行う。これにより、通信端末装置１０は、現在と過去の混雑状態を示す画像ＰをユーザＵに提示することができる。また、ユーザＵは、現在と過去の混雑状態を示す画像Ｐを参照することにより、通信品質の不良が一過性のものであるか等を把握することができる。
また、通信端末装置１０は、移動体通信網及び無線ＬＡＮの第１通信品質Ｑ１及び第２通信品質Ｑ２をそれぞれ判定してもよい。この場合、表示制御部１４０は、移動体通信網の第１通信品質Ｑ１及び第２通信品質Ｑ２に基づく画像Ｐと、無線ＬＡＮの第１通信品質Ｑ１及び第２通信品質Ｑ２に基づく画像Ｐとを所定の時間毎に交互に表示部ＤＰに表示させる制御を行う。また、表示制御部１４０は、移動体通信網の第１通信品質Ｑ１及び第２通信品質Ｑ２に基づく画像Ｐと、無線ＬＡＮの第１通信品質Ｑ１及び第２通信品質Ｑ２に基づく画像Ｐとのうち、ユーザＵが選択した画像Ｐを表示部ＤＰに表示させる制御を行う。
【００３１】
以下、図３を参照して、表示制御部１４０が表示部ＤＰに表示させる画像Ｐの詳細について説明する。
図３は、本実施形態に係る画像Ｐの一例を示す図である。
図３（ａ）は、第１通信品質Ｑ１が「１」であって、第２通信品質Ｑ２が「４」である場合、表示制御部１４０が小さい値（この一例では、「１」）をアンテナピクト表示の縦線として表示部ＤＰに表示させる画像Ｐ１の一例を示す。
上述したように、通信端末装置１０は、通信品質が不良である場合を基準とした画像ＰをユーザＵに提示することができる。
図３（ｂ）は、第１通信品質Ｑ１が「１」であって、第２通信品質Ｑ２が「４」である場合、表示制御部１４０が大きい値（この一例では、「４」）をアンテナピクト表示の縦線として表示部ＤＰに表示させる画像Ｐ２の一例を示す。
上述したように、通信端末装置１０は、通信品質が良好である場合を基準とした画像ＰをユーザＵに提示することができる。
【００３２】
＜表示制御部：第１通信品質と第２通信品質とが乖離する場合  その２＞
また、表示制御部１４０は、第１通信品質Ｑ１の値と、第２通信品質Ｑ２の値とが閾値ＴＨ（この一例では、「２」）より乖離する場合、第１通信品質Ｑ１を示す値と、第２通信品質Ｑ２を示す値とを乗じた値に基づいて画像Ｐを生成し、表示部ＤＰに当該画像Ｐを表示させる制御を行う構成であってもよい。この一例では、表示制御部１４０は、第１通信品質Ｑ１を示す値と、第２通信品質Ｑ２を示す値とを乗じた値に、アンテナピクト表示の縦線の総数（この一例では、「５」）を除した値（以下、表示値ＶＤ）をアンテナピクト表示の縦線の数とする画像Ｐを表示部ＤＰに表示させる制御を行う。例えば、第１通信品質Ｑ１が「２」であって、第２通信品質Ｑ２が「５」である場合、表示値ＶＤは、「２」である。表示制御部１４０は、アンテナピクト表示が２本の縦線である画像Ｐを表示部ＤＰに表示させる制御を行う。この場合、通信端末装置１０は、電波状態と、混雑状態とのいずれにも基づく通信品質を示す画像ＰをユーザＵに提示することができる。
【００３３】
＜表示制御部：第１通信品質と第２通信品質とが乖離する場合  その３＞
また、表示制御部１４０は、第１通信品質Ｑ１の値と、第２通信品質Ｑ２の値とが閾値ＴＨ（この一例では、「２」）より乖離する場合、第１通信品質Ｑ１を示す値と、第２通信品質Ｑ２を示す値と、優先表示情報ＰＩとに基づいて画像Ｐを生成し、表示部ＤＰに当該画像Ｐを表示させる制御を行う構成であってもよい。優先表示情報ＰＩは、電波状態と、混雑状態とのうち、いずれを優先的に表示するかを示す情報である。この一例では、優先表示情報ＰＩは、混雑状態を優先的に表示することを示す。したがって、表示制御部１４０は、第２通信品質Ｑ２の値をアンテナピクト表示の縦線の数とする画像Ｐを表示部ＤＰに表示させる制御を行う。なお、優先表示情報ＰＩが電波状態を優先的に表示することを示す場合、表示制御部１４０は、第１通信品質Ｑ１の値をアンテナピクト表示の縦線の数とする画像Ｐを表示部ＤＰに表示させる制御を行う。
ここで、優先表示情報ＰＩは、予め設定される情報であってもよく、ユーザＵが既知の方法によって設定する情報であってもよい。既知の方法とは、例えば、通信端末装置１０が備える既知の機能（アプリケーション）によって優先的に表示する情報を選択し、当該選択された情報を優先表示情報ＰＩとして通信端末装置１０が備える記憶部に記憶する方法である。この場合、表示制御部１４０は、記憶部から読み出した優先表示情報ＰＩと、第１通信品質Ｑ１と、第２通信品質Ｑ２とに基づいて、表示部ＤＰの表示を制御する。
なお、優先的に表示する情報とは、電波状態、混雑状態に代えて、通信のスループット、通信の受信速度及び通信の送信速度等であってもよい。
なお、優先表示情報ＰＩは、アンテナピクト表示の縦線の数として算出する際の第１通信品質Ｑ１（電波状態）の値と、第２通信品質Ｑ２（混雑状態）の値との重みづけを示す情報であってもよい。この場合、表示制御部１４０は、優先表示情報ＰＩが示す重みづけと、第１通信品質Ｑ１と、第２通信品質Ｑ２とに基づいて、表示値ＶＤを算出する。また、表示制御部１４０は、算出した表示値ＶＤがアンテナピクト表示の縦線である画像Ｐを表示部ＤＰに表示させる制御を行う。
【００３４】
＜情報配信装置及び情報配信装置の動作について＞
以下、図を参照して通信端末装置１０及び情報配信装置２０の動作について説明する。
図４は、本実施形態に係る通信端末装置１０及び情報配信装置２０の動作の一例を示す流れ図である。
情報配信装置２０は、通信端末装置１０に混雑状態情報ＶＴを送信する（ステップＳ１１０）。通信端末装置１０が備える電波状態取得部１１０は、電波状態情報ＲＳを取得する（ステップＳ２１０）。混雑状態取得部１２０は、混雑状態情報ＶＴを取得する（ステップＳ２２０）。通信品質判定部１３０が備える電波状態判定部１３１は、電波状態情報ＲＳに基づいて電波状態を判定する（ステップＳ２３０）。通信品質判定部１３０が備える混雑状態判定部１３２は、混雑状態情報ＶＴに基づいて混雑状態を判定する（ステップＳ２４０）。表示制御部１４０は、通信品質判定部１３０が判定した第１通信品質Ｑ１及び第２通信品質Ｑ２に基づいて、画像Ｐを表示部ＤＰに表示する制御を行う（ステップＳ２５０）。
【００３５】
なお、通信端末装置１０は、電波状態情報ＲＳを取得し、混雑状態情報ＶＴを取得する構成に代えて、電波状態情報ＲＳに基づいて、混雑状態情報ＶＴを取得する構成であってもよい。例えば、通信端末装置１０は、電波状態情報ＲＳが電波状態が不良であることを示す場合、情報配信装置２０から混雑状態情報ＶＴを取得しなくてもよい。ここで、ユーザＵは、電波状態が不良である場合、混雑状態が良好であっても通信品質が不良であると感じる場合がある。通信端末装置１０が電波状態情報ＲＳに基づいて、混雑状態情報ＶＴを取得構成であって、かつ電波状態情報ＲＳが電波状態が不良であることを示す場合、混雑状態情報ＶＴを取得する処理に係る負荷を低減することができる。
【００３６】
以上説明したように、本実施形態の情報配信装置２０は、通信端末装置１０に常時又は所定の時間毎に混雑状態情報ＶＴを送信する。本実施形態の通信端末装置１０は、情報配信装置２０から混雑状態情報ＶＴを取得する。本実施形態の通信端末装置１０は、電波状態情報ＲＳを取得する。通信端末装置１０は、取得した混雑状態情報ＶＴと電波状態情報ＲＳとに基づいて、移動体通信網の通信品質を判定し、判定した第１通信品質Ｑ１及び第２通信品質Ｑ２に基づいて、表示部ＤＰへの画像Ｐの表示を制御する。
これにより、本実施形態の通信端末装置１０は、電波状態と混雑状態とに基づいて、アンテナピクトを表示する。したがって、本実施形態の通信端末装置１０は、電波状態のみに基づく通信品質をアンテナピクトとして表示する場合と比較して、精度高く通信品質を表示することができる。本実施形態の通信端末装置１０によれば、ユーザＵの感覚に沿ったアンテナピクト表示をすることができる。
【００３７】
上述したように、本実施形態の通信端末装置１０が備える表示制御部１４０は、第１通信品質Ｑ１と、第２通信品質Ｑ２とが乖離している場合、第１通信品質Ｑ１と、第２通信品質Ｑ２とのうち、少なくとも一方に基づいてアンテナピクトを表示する。
したがって、本実施形態の通信端末装置１０によれば、電波状態が良好であって混雑状態が不良である場合又は電波状態が不良であって混雑状態が良好である場合にアンテナピクトの表示と通信品質とに乖離が生じ、ユーザＵが違和感を覚えることを抑制することができる。つまり、本実施形態の通信端末装置１０によれば、ユーザＵの感覚に沿ったアンテナピクト表示をすることができる。
【００３８】
また、本実施形態の通信端末装置１０が備える表示制御部１４０は、第１通信品質Ｑ１と、第２通信品質Ｑ２とが乖離している場合、表示値ＶＤに基づいて通信品質をアンテナピクトに表示する制御を行う。これにより、本実施形態の通信端末装置１０は、電波状態及び混雑状態に基づいて通信品質をアンテナピクトに表示することができる。
したがって、本実施形態の通信端末装置１０によれば、表示値ＶＤに基づいて、簡便に通信品質をアンテナピクトに表示することができる。つまり、本実施形態の通信端末装置１０によれば、ユーザＵの感覚に沿ったアンテナピクト表示をすることができる。
【００３９】
また、本実施形態の通信端末装置１０が備える表示制御部１４０は、第１通信品質Ｑ１と、第２通信品質Ｑ２とが乖離している場合、優先表示情報ＰＩに基づいてアンテナピクトの表示を制御する。
したがって、本実施形態の通信端末装置１０によれば、ユーザＵが優先表示情報ＰＩを設定する場合、ユーザＵの感覚に沿ったアンテナピクトを表示することができる。
【００４０】
なお、上述では、表示制御部１４０がアンテナピクト表示の縦線の本数や０から１００の値によって通信品質を表示する場合について説明したが、これに限られない。表示制御部１４０は、第１通信品質Ｑ１及び第２通信品質Ｑ２に基づく通信品質に応じて、通信端末装置１０が備える機能（アプリケーション）の使用を促す表示を表示部ＤＰに表示する制御を行う構成であってもよい。例えば、表示制御部１４０は、電波状態及び混雑状態がいずれも良好である場合には、通信が途切れないことや大容量データの通信を行うことが求められるアプリケーション（例えば、動画視聴用アプリ）の使用を促す表示を表示部ＤＰに表示する制御を行う。また、表示制御部１４０は、電波状態が良好であって、混雑状態が不良である場合、通信が途切れないことが求められるが、データ量を多く必要としない通信を行うアプリケーション（例えば、ネットラジオアプリ）の使用を促す表示を表示部ＤＰに表示する制御を行う。また、例えば、表示制御部１４０は、電波状態及び混雑状態が何れも不良である場合には、通信が途切れても再送に処理負荷を必要とせず、データ量を多く必要としない通信を行うアプリケーション（例えば、メッセンジャーアプリ）の使用を促す表示を表示部ＤＰに表示する制御を行う。
【００４１】
＜画像の他の例について＞
以下、図５を参照して、表示制御部１４０が表示部ＤＰに表示させる画像Ｐの他の例について説明する。
図５は、本実施形態に係る第１通信品質Ｑ１と、第２通信品質Ｑ２と、通信速度との対応の一例を示す表である。ここで、通信速度とは、例えば、スループット、通信の受信速度及び通信の送信速度等である。
図５に示す通り、この一例では、第１通信品質Ｑ１が、「１」から「４」の値によって示される。第１通信品質Ｑ１は、電波状態が良好である場合、大きい値を示し、不良である場合、小さい値を示す。また、第２通信品質Ｑ２が、「１」から「３」の値によって示される。第２通信品質Ｑ２は、通信品質が良好である場合、大きい値を示し、通信品質が不良である場合、小さい値を示す。
ここで、第１通信品質Ｑ１が電波状態が良好であることを示す場合（例えば、「４」）であっても、第２通信品質Ｑ２が通信品質が不良であることを示す場合（例えば、「１」）には、通信端末装置１０は、通信速度が５０Ｍ／ｓ程度しか得られない場合がある。
上述したように、画像Ｐが第１通信品質Ｑ１又は第２通信品質Ｑ２のみに基づいて表示される場合、ユーザＵは、通信速度と、表示部ＤＰに表示される画像Ｐとに乖離が生じていると感じる場合がある。
以下、表示制御部１４０は、第１通信品質Ｑ１の値をアンテナピクト表示の縦線の数として示し、第２通信品質Ｑ２を色によって示す場合について説明する。
図６は、本実施形態に係る画像Ｐの他の一例を示す図である。
表示制御部１４０は、第２通信品質Ｑ２が「３」の場合、第１通信品質Ｑ１の値に応じたアンテナピクト表示の縦線を「青」色によって示す。また、表示制御部１４０は、第２通信品質Ｑ２が「２」の場合、第１通信品質Ｑ１の値に応じたアンテナピクト表示の縦線を「黄」色によって示す。また、表示制御部１４０は、第２通信品質Ｑ２が「１」の場合、第１通信品質Ｑ１の値に応じたアンテナピクト表示の縦線を「赤」色によって示す。
これにより、ユーザＵは、アンテナピクト表示の縦線の数と、当該縦線の色とによって通信品質を精度高く認識することができる。
【００４２】
なお、通信端末装置１０は、第１通信品質Ｑ１と第２通信品質Ｑ２とを取得する場合について説明したが、これに限られない。通信端末装置１０は、図５に示す第１通信品質Ｑ１と、第２通信品質Ｑ２と、通信速度との対応を示す情報を予め記憶し、かつ通信速度を測定する構成を備えていてもよい。以降の説明において、第１通信品質Ｑ１と、第２通信品質Ｑ２と、通信速度との対応を示す情報を品質速度対応情報と記載する。この場合、通信端末装置１０は、測定した通信速度と、取得した第１通信品質Ｑ１と、品質速度対応情報とに基づいて、第２通信品質Ｑ２を算出してもよい。また、通信端末装置１０は、測定した通信速度と、取得した第２通信品質Ｑ２と、品質速度対応情報とに基づいて、第１通信品質Ｑ１を算出してもよい。
【００４３】
なお、上述では、第２通信品質Ｑ２が「青」、「黄」及び「赤」によって示される場合について説明したが、これに限られない。第２通信品質Ｑ２は、「青」、「黄」及び「赤」に代えて、他の色によって示されてもよい。
また、第１通信品質Ｑ１がアンテナピクト表示の縦線によって、示され、第２通信品質Ｑ２が色によって示される構成に代えて、第１通信品質Ｑ１が色によって示され、第２通信品質Ｑ２がアンテナピクト表示の縦線によって示される構成であってもよい。
【００４４】
なお、上記の各実施形態における通信端末装置１０及び情報配信装置２０が備える各部は、専用のハードウェアにより実現されるものであってもよく、また、メモリおよびマイクロプロセッサにより実現させるものであってもよい。
【００４５】
なお、通信端末装置１０及び情報配信装置２０が備える各部は、メモリおよびＣＰＵ（中央演算装置）により構成され、通信端末装置１０及び情報配信装置２０が備える各部の機能を実現するためのプログラムをメモリにロードして実行することによりその機能を実現させるものであってもよい。
【００４６】
また、通信端末装置１０及び情報配信装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００４７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００４８】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００４９】
１０…通信端末装置、２０…情報配信装置、１００…制御部、１１０…電波状態取得部、１２０…混雑状態取得部、１３０…通信品質判定部、１３１…電波状態判定部、１３２…混雑状態判定部、１４０…表示制御部、２００…制御部、２１０…混雑状態情報生成部、２２０…混雑状態送信部、６００…記憶部、ＤＰ…表示部、ＰＩ…優先表示情報、Ｑ１…第１通信品質、Ｑ２…第２通信品質、ＲＳ…電波状態情報、ＶＴ…混雑状態情報、ＶＤ…表示値
【図１】
2018067798.tif 000003
【図２】
2018067798.tif 000004
【図３】
2018067798.tif 000005
【図４】
2018067798.tif 000006
【図５】
2018067798.tif 000007
【図６】
2018067798.tif 000008